(57)【要約】【課題】  光出力や光結合効率が低下を抑制し、レーザー特性が劣化しないレーザーモジュールを提供する。【解決手段】  レーザーモジュールは、レーザー光と光学的に接続される光ファイバーと、光ファイバーの一部が挿入される貫通孔を有する保持部材と、貫通孔に挿入される光ファイバーの端面を少なくとも封止するよう保持部材に設けられる封止部材と、封止部材の内側に有する光触媒と、を備え、光ファイバーの端面は傾斜して設けられており、その傾斜した端面により反射された光の行路上に光触媒が配置されている。【選択図】      図１
2007334015.tif 000002
【特許請求の範囲】
【請求項１】
レーザー光と光学的に接続される光ファイバーと、
前記光ファイバーの一部が挿入される貫通孔を有する保持部材と、
前記貫通孔に挿入される前記光ファイバーの端面を少なくとも封止するよう前記保持部材に設けられる封止部材と、
前記封止部材の内側に有する光触媒と、を備え、
前記光ファイバーの端面は傾斜して設けられており、その傾斜した端面により反射された光の行路上に前記光触媒が配置されていることを特徴とするレーザーモジュール。
【請求項２】
前記光ファイバーの端面と前記保持部材の端面とは略同一平面上にあることを特徴とする請求項１に記載のレーザーモジュール。
【請求項３】
前記貫通孔に挿入される前記光ファイバーの軸は、レーザー光の軸に対して傾斜して設けられていることを特徴とする請求項１に記載のレーザーモジュール。
【請求項４】
前記光触媒はＩｎ１‐ＸＮＯＸまたはＴｉＯ2であることを特徴とする請求項１に記載のレーザーモジュール。
【請求項５】
前記光ファイバーはシングルモードファイバーであることを特徴とする請求項１に記載のレーザーモジュール。
【請求項６】
前記レーザー光の波長は４５０nm以下であることを特徴とする請求項１に記載のレーザーモジュール。
【請求項７】
請求項１に記載のレーザーモジュールにおいて、さらに、吸着剤を有し、
前記吸着剤は前記封止部材の内側に設けられていることを特徴とするレーザーモジュール。
【発明の詳細な説明】
【技術分野】
【０００１】
本発明は、レーザーモジュールに関し、特に、光触媒を有するレーザーモジュールに関する。
【背景技術】
【０００２】
従来、レーザーモジュールは、光出力や光結合効率が低下することを抑制する等の性質を有することが要求されている。しかし、レーザーモジュール内部の微量な炭化水素化合物などがレーザー光により光化学反応し、重合あるいは分解されて、光ファイバーの端面に固体の有機物として付着する。この付着した物質がレーザー光のエネルギーを吸収することで光ファイバーの端面を溶融破壊してしまう。このため、レーザーモジュールの光出力や、レーザー光と光ファイバーとの光結合効率が低下し、レーザー特性を劣化させるという問題があった。この問題は、レーザー光による光化学反応に起因することから、特に光出力が大きく、かつ、光のエネルギーが大きい短波長のレーザー光（例えば、近紫外や紫外光）の場合に顕著に現れることが一般的に知られている。
【０００３】
これらのレーザーモジュールにおいては、図３に示すように、光ファイバー３０の端面に有機物が付着することを防止する手段として、光ファイバー３０の端部を気密封止するものがある（特許文献１）。レーザーダイオード３８は、ＣＡＮパッケージ３７により気密封止されている。レーザーダイオード３８から射出されたレーザー光３５は、レンズ３６を介することにより光ファイバー３０の端面に集光される。光ファイバ３０の端部は、封止部材３２によって気密封止されており、炭化水素化合物などの混入を防止する。これにより、レーザー光３５が照射されても、光ファイバー３０の端面に有機物が付着するのを抑制できる。しかしながら、光ファイバー３０の端部などは小さいため気密封止することが難しく、レーザーモジュールが小型化すれば完全に気密封止することがさらに難しくなる。また、光ファイバー３０や光学系部品などは、通常、接着剤もしくは半田付けを用いて固定されているため、炭化水素化合物などの有機物が混入することを完全に防止することはできず、このような微量の有機物であっても劣化の原因となりえる。
この問題を解決するため、図４に示すように、レーザーモジュールを構成するレンズ４６などの光学部品や、光ファイバー４０の端部、封止部材４３の内壁、などに光触媒４３がコーティングされている。これにより、レーザーダイオード４８から射出されたレーザー光４５は、レンズ４６により光ファイバー４０の端面に集光されると共に、光触媒４３に照射される。レーザー光４５が照射された光触媒４３は、封止部材４２内に残った微量な有機物を付着、吸収するため、レーザー特性などの劣化を防止することができる（特許文献２）。
【特許文献１】特開２００４−２５３７８３
【特許文献２】特開２００４−１７９５９５
【発明の開示】
【発明が解決しようとする課題】
【０００４】
しかしながら、特許文献２のように、光触媒４３をレンズ４６などの光学部品や、光ファイバー４０の端面にまでコーティングしてしまっては、有機物ではなく光触媒４３自身の影響を受け、レーザーモジュールの光出力や、レーザー光４５と光ファイバー３０との光結合効率が低下してしまい十分満足できるとは言えない。
そこで、本発明は、光出力や光結合効率が低下を抑制し、レーザー特性が劣化しないレーザーモジュールを提供することを目的とする。
【課題を解決するための手段】
【０００５】
本発明によれば、前記課題は次の手段により解決される。レーザー光と光学的に接続される光ファイバーと、前記光ファイバーの一部が挿入される貫通孔を有する保持部材と、前記貫通孔に挿入される前記光ファイバーの端面を少なくとも封止するよう前記保持部材に設けられる封止部材と、前記封止部材の内側に有する光触媒と、を備え、前記光ファイバーの端面は傾斜して設けられており、その傾斜した端面により反射された光の行路上に前記光触媒が配置されていることを特徴とするレーザーモジュールに関する。これにより、光出力や光結合効率の低下を抑制し、レーザー特性が劣化することを防止できる。ここで、本明細書において、光学的に接続されるとは、ある部材と他の部材が必ずしも直接かつ完全に接続されていることを意味しない。例えば、ある部材と他の部材との間に何かしらの部材を介して間接的に接続される構成や、ある部材と他の部材が部分的に接続される構成とすることもできる。
前記光ファイバーの端面と前記保持部材の端面とは略同一平面上にあることが好ましい。光触媒にレーザー光を効率良く照射するためである。
前記貫通孔に挿入される前記光ファイバーの軸は、レーザー光の軸に対して傾斜して設けられていることが好ましい。レーザー光と光ファイバーとの光結合効率をさらに向上させるためである。
前記光触媒はＩｎ１‐ＸＮＯＸまたはＴｉＯ2であることが好ましい。前記光ファイバーはシングルモードファイバー（Single Mode Fiber）であることが好ましい。また、前記レーザー光の波長は４５０nm以下であることが好ましい。前記レーザーモジュールにおいて、さらに、吸着剤を有し、前記吸着剤は前記封止部材の内側に設けられていることが好ましい。これらによって、本発明の効果が特に有効に作用する。
【発明の効果】
【０００６】
本発明によれば、光出力や光結合効率が低下を抑制し、レーザー特性が劣化しないレーザーモジュールを提供することができる。
【発明を実施するための最良の形態】
【０００７】
以下に添付した図面を参照しつつ、本発明の実施するための最良の形態を詳細に説明する。ただし、本発明は、この実施の形態及び実施例に限定されない。さらに、本発明を構成する各要素は、複数の要素を一の部材で構成することもできるし、逆に、一の要素を複数の部材で構成することもできる。
【０００８】
＜第１の実施形態＞
第１の実施の形態に係るレーザーモジュールは、以下の構成を採る。図１は第１の実施の形態に係るレーザーモジュールを示す概略図である。図２は第１の実施の形態に係るレーザーモジュールの拡大図である。
【０００９】
図１に示すように、実施の形態に係るレーザーモジュールは、光ファイバー１０と保持部材１１と封止部材１２と光触媒１３と透光部材１４と接着部材１６とを備える。光ファイバー１０は保持部材１１の貫通孔に挿入され、接着部材１６によって光ファイバー１０と保持部材１１とを固着される。挿入される光ファイバー１０の端面と保持部材１１の端面とは略同一平面状にある。保持部材１１は封止部材１２を有しており、封止部材１２は光ファイバー１０の端面と保持部材１１の端面とを封止する。封止部材１２は透光部材１４を有し、封止部材１２の外部から射出されるレーザー光１５が透光部材１４を透過して光ファイバー１０と光学的に接続する。また、封止部材１２は内側に光触媒１３を有する。光ファイバー１０の端面は傾斜して設けており、光触媒１３はその傾斜した端面によって反射された光の行路上に少なくとも配置する。
【００１０】
上記構成により、レーザー光１５は光触媒１３に照射され、光触媒１３は活性化する。活性化した光触媒１３は、封止部材１２の内部の微量な有機物を分解するため、封止部材１２の内部を清浄に保つことができる。このため、有機物が原因で光ファイバー１０の端面が溶融破壊してしまうことを防止でき、レーザーモジュールの光出力や、レーザー光１５と光ファイバー１０との光結合効率が低下することを抑制し、レーザー特性の劣化を防止することができる。さらに、本発明は、光ファイバー１０の端面によって反射された光が、光源に戻ることを防止できるため、レーザー光１５のノイズを低減することができると共に、レーザー光１５の出力が低下することを防止できる。また、光ファイバー１０の端面と保持部材１１の端面とが略同一平面状にあるため、レーザー光１５を保持部材１１の端面でも光ファイバー１０の端面と略同一方向に反射でき、レーザー光１５の出力が低下する原因の１つである反射光２０を効率良く光触媒１３に照射することができる。これにより、光触媒１３の作用をさらに高め、光ファイバー１０の端面に有機物が付着することをさらに防止することができる。
また、本発明は、従来のように光触媒１３を光ファイバー１０の端面に設ける必要がないため、レーザー光１５が光触媒１３により透過吸収されて出力が低下することがない。ゆえに、本発明は、従来のものとは異なり、レーザーモジュールの光出力や、レーザー光１５と光ファイバー１０との光結合効率が低下しない。
【００１１】
本発明は、レーザー光１５が空気層から光ファイバー１０に入射される際、屈折率の異なる媒質に入射されることになる。このため、スネルの法則に従いレーザー光１５は角度θ°屈折するので、光ファイバーの軸１９をレーザー光の軸１８から角度θ°傾斜させた状態で光ファイバーを保持部材に固定することが好ましい。これにより、光ファイバーの軸１９の方向をレーザー光１５の屈折方向に一致させることができるため光結合効率がさらに高められる。
【００１２】
＜第２の実施形態＞
図には示さないが、第２の実施の形態に係るレーザーモジュールは、前述した第１の実施形態に、さらに、吸着剤を有する。吸着材は封止部材の内部に設けられており、レーザー光と光ファイバーとの光結合効率が低下しない位置であることが好ましく、特に、光触媒と同様に封止部材の内側部に配置されることが好ましい。これにより、光触媒によって分解しきれなかった有機物などを吸着することができ、封止部材の内部（光ファイバーの端面など）をより清浄に保つことができる。これらの吸着剤としては、封止部材の内部に有機物が付着することを防止できれば良く、シリカ、アルミナ、活性炭、ゼオライト、芳香族系の合成吸着剤、置換芳香族系の合成吸着剤、アクリル系の合成吸着剤が好ましい。これらの吸着剤は２種類以上用いても良い。
【００１３】
以下、上記した実施の形態における各構成について詳述する。
【００１４】
（光触媒）
光触媒は、バンドギャップに相当する光が照射されることにより、荷電子帯の電子が励起されて伝導帯に移る。一方、価電子帯にできたホールは光触媒表面で酸化作用を示す。光触媒は、この酸化作用を利用して有機物などを分解する。
このような光触媒としては、酸化チタン（ＴｉＯ2）、窒素をドープした酸化チタン、酸化タングステン、酸化チタン複合化光触媒、Ｉｎ１‐ＸＮＯＸが好ましく、特に、酸化チタン、Ｉｎ１‐ＸＮＯＸが好適に用いられる。これらの光触媒は２種類以上用いても良い。
また、光触媒に照射するレーザー光の波長としては、４５０nm以下が好ましく、さらに好ましくは４０５nm以下である。
【００１５】
（光ファイバー）
光ファイバーには、シングルモードファイバー（Single Mode Fiber）とマルチモードファイバー（Multi Mode Fiber）とが一般的に知られており、本発明においてはシングルモードファイバーを用いたときに、特に本発明の効果が作用する。シングルモードファイバーは直径10μm以下と細く1つのモードのみを伝送するファイバーである。ケーブル中を進んでいくレーザー光は1つのモードしか存在しないので分散を起すことなく伝えることができ、外部出力する際のレーザー光の波面収差を小さくすることができる（レーザー光の品質向上）。しかし、シングルモードファイバーは直径が細いためレーザー光が集中することで光密度が高くなり、有機物の付着及びレーザー特性の劣化が発生し易いことが知られている。このため、有機物が付着するのを防止できる本発明の構成は効果的である。また、光ファイバーは、長手方向に延伸するとともに、屈曲可能に構成されていることが好ましい。これにより、所望の位置に光を容易に導出することができる。なお、導光部材の断面は円形が好ましいが、これに限定されるものではない。
このような光ファイバーとしては、材料が特に限定されるものではなく、例えば、石英ガラス、プラスチック等が挙げられる。なかでも、光ファイバーによって導光される光が吸収されて減衰しないよう、コアの材料がピュアシリカ（純粋石英）によって構成されているものが好ましい。
なお、光ファイバー内の一部、例えば、コア材料に、後述する蛍光物質等を含有させることができる他、光ファイバーの端部に蛍光物質を含有する部材を設けることもできる。これらにより、レーザー光を異なる波長に変換し、必要な波長の光を適宜取り出すことができる。
蛍光物質としては、レーザー光で励起されるものであれば特に限定されるものではなく、例えば、Ｅｕ、Ｃｅ等のランタノイド系元素で主に賦活される窒化物系蛍光体・酸窒化物系蛍光体・サイアロン系蛍光体、Ｅｕ等のランタノイド系、Ｍｎ等の遷移金属系の元素により主に付活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩蛍光体、アルカリ土類硫化物蛍光体、アルカリ土類チオガレート蛍光体、アルカリ土類窒化ケイ素蛍光体、ゲルマン酸塩蛍光体、又は、Ｃｅ等のランタノイド系元素で主に付活される希土類アルミン酸塩蛍光体、希土類ケイ酸塩蛍光体又はＥｕ等のランタノイド系元素で主に賦活される有機及び有機錯体等から選ばれる少なくともいずれか１以上であることが好ましい。具体例として、下記の蛍光体を使用することができるが、これに限定されない。
Ｅｕ、Ｃｅ等のランタノイド系元素で主に賦活される窒化物系蛍光体は、Ｍ２Ｓｉ５Ｎ８：Ｅｕ、ＭＡｌＳｉＮ３：Ｅｕ（Ｍは、Ｓｒ、Ｃａ、Ｂａ、Ｍｇ、Ｚｎから選ばれる少なくとも１種以上である。）などがある。また、Ｍ２Ｓｉ５Ｎ８：ＥｕのほかＭＳｉ７Ｎ１０：Ｅｕ、Ｍ１．８Ｓｉ５Ｏ０．２Ｎ８：Ｅｕ、Ｍ０．９Ｓｉ７Ｏ０．１Ｎ１０：Ｅｕ（Ｍは、Ｓｒ、Ｃａ、Ｂａ、Ｍｇ、Ｚｎから選ばれる少なくとも１種以上である。）などもある。
Ｅｕ、Ｃｅ等のランタノイド系元素で主に賦活される酸窒化物系蛍光体は、ＭＳｉ２Ｏ２Ｎ２：Ｅｕ（Ｍは、Ｓｒ、Ｃａ、Ｂａ、Ｍｇ、Ｚｎから選ばれる少なくとも１種以上である。）などがある。
Ｅｕ、Ｃｅ等のランタノイド系元素で主に賦活されるサイアロン系蛍光体は、Ｍｐ／２Ｓｉ１２−ｐ−ｑＡｌｐ＋ｑＯｑＮ１６−ｐ：Ｃｅ、Ｍ−Ａｌ−Ｓｉ−Ｏ−Ｎ（Ｍは、Ｓｒ、Ｃａ、Ｂａ、Ｍｇ、Ｚｎから選ばれる少なくとも１種以上である。ｑは０〜２．５、ｐは１．５〜３である。）などがある。
Ｅｕ等のランタノイド系、Ｍｎ等の遷移金属系の元素により主に付活されるアルカリ土類ハロゲンアパタイト蛍光体には、Ｍ５（ＰＯ４）３Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれか１以上である。）などがある。
アルカリ土類金属ホウ酸ハロゲン蛍光体には、Ｍ２Ｂ５Ｏ９Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれか１以上である。）などがある。
アルカリ土類金属アルミン酸塩蛍光体には、ＳｒＡｌ２Ｏ４：Ｒ、Ｓｒ４Ａｌ１４Ｏ２５：Ｒ、ＣａＡｌ２Ｏ４：Ｒ、ＢａＭｇ２Ａｌ１６Ｏ２７：Ｒ、ＢａＭｇ２Ａｌ１６Ｏ１２：Ｒ、ＢａＭｇＡｌ１０Ｏ１７：Ｒ（Ｒは、Ｅｕ、Ｍｎ、ＥｕとＭｎ、のいずれか１以上である。）などがある。
アルカリ土類硫化物蛍光体には、Ｌａ２Ｏ２Ｓ：Ｅｕ、Ｙ２Ｏ２Ｓ：Ｅｕ、Ｇｄ２Ｏ２Ｓ：Ｅｕなどがある。
Ｃｅ等のランタノイド系元素で主に賦活される希土類アルミン酸塩蛍光体には、Ｙ３Ａｌ５Ｏ１２：Ｃｅ、（Ｙ０．８Ｇｄ０．２）３Ａｌ５Ｏ１２：Ｃｅ、Ｙ３（Ａｌ０．８Ｇａ０．２）５Ｏ１２：Ｃｅ、（Ｙ，Ｇｄ）３（Ａｌ，Ｇａ）５Ｏ１２：Ｃｅ、（Ｙ，Ｇｄ）３Ａｌ５Ｏ１２：Ｃｅの組成式で表されるＹＡＧ系蛍光体などがある。また、Ｙの一部若しくは全部をＴｂ、Ｌｕ等で置換したＴｂ３Ａｌ５Ｏ１２：Ｃｅ、Ｌｕ３Ａｌ５Ｏ１２：Ｃｅなどもある。
その他の蛍光体には、ＺｎＳ：Ｅｕ、Ｚｎ２ＧｅＯ４：Ｍｎ、ＭＧａ２Ｓ４：Ｅｕ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。）などがある。
上述の蛍光体は、所望に応じてＥｕに代えて、又は、Ｅｕに加えてＴｂ、Ｃｕ、Ａｇ、Ａｕ、Ｃｒ、Ｎｄ、Ｄｙ、Ｃｏ、Ｎｉ、Ｔｉから選択される１種以上を含有させることもできる。
また、上記蛍光体以外の蛍光体であって、同様の性能、効果を有する蛍光体も使用することができる。
これらの蛍光体の具体的な組み合わせとしては、例えば、（Ｓｒ，Ｃａ）5（ＰＯ4）3Ｃｌ：Ｅｕ（青色発光）と、Ｌｕ３Ａｌ５Ｏ１２：Ｃｅ（緑色発光）又はＢａＳｉ2Ｏ2Ｎ2：Ｅｕ（緑色から黄色発光）と、（Ｓｒ，Ｃａ）２Ｓｉ５Ｎ８：Ｅｕ（赤色発光）との組み合わせ；Ｃａ５（ＰＯ４）３Ｃｌ：Ｅｕ、Ｃａ２Ｂ５Ｏ９Ｃｌ：Ｅｕ、ＢａＭｇＡｌ１０Ｏ１７：Ｅｕ（青色発光）と、（Ｙ，Ｇｄ）３Ａｌ５Ｏ１２：Ｃｅ（黄色発光）との組み合わせ；Ｃａ５（ＰＯ４）３Ｃｌ：Ｅｕ、Ｃａ２Ｂ５Ｏ９Ｃｌ：Ｅｕ又はＢａＭｇ２Ａｌ１６Ｏ２７：Ｅｕ等（青色発光）と、Ｌｕ３ＡｌＯ１２：Ｃｅ（緑色発光）と、（Ｓｒ，Ｃａ）２Ｓｉ５Ｎ８：Ｅｕ（赤色発光）との組み合わせが挙げられる。これにより、可視光の短波長領域の３６０〜４７０ｎｍの範囲の発光ピーク波長を有するレーザーダイオードと組み合わせると、演色性の良好な白色系の混色光を得ることができる。また、Ｌｕ３ＡｌＯ１２：Ｃｅ（緑色発光）と、Ｓｒ２Ｓｉ５Ｎ８：Ｅｕ、（Ｓｒ，Ｃａ）２Ｓｉ５Ｎ８：Ｅｕ又はＣａＡｌＳｉＮ3：Ｅｕ（赤色発光）との組み合わせ；Ｌｕ３ＡｌＯ１２：Ｃｅ（緑色発光）と、（Ｙ，Ｇｄ）３Ａｌ５Ｏ１２：Ｃｅ（黄色発光）との組み合わせ；Ｌｕ３ＡｌＯ１２：Ｃｅ（緑色発光）と、ＣａＡｌＳｉＢａＮ3：Ｅｕ（赤色発光）との組み合わせ等が挙げられる。これにより、４５０ｎｍ付近（例えば、４００〜４６０ｎｍ）に発光ピーク波長を有するレーザーダイオードと組み合わせることにより、発光効率をさらに向上させることができる。
蛍光物質が含有される部材としては、レーザー光を透過し得る材料であれば、特に限定されるものではなく、エポキシ樹脂、シリコーン樹脂等の有機材料、ガラス、低融点ガラス、結晶化ガラス等の無機材料等が挙げられる。さらに、蛍光物質の他に、ＳｉＯ２、ＴｉＯ２等のフィラーを含有させてもよい。フィラーは、照射された光を反射、散乱させるためのものである。これにより、光を散乱させて取り出すことができる。また、混色が良好になるとともに色むらを低減させることができる。
【００１６】
（保持部材）
保持部材は、光ファイバーの側面の少なくとも一部を被覆し固定するものである。保持部材を備えることにより、封止部材や光ファイバー等を容易に配置させることができる。また、保持部材の材料や形状に応じて発光効率を向上させることができるとともに、発光装置としての組み立てが容易となる。
保持部材は、光ファイバーの端面の発熱を効果的に保持部材へ伝えることで放熱させ、熱による悪影響を軽減することができる。このとき、保持部材の熱伝導率は、光ファイバーの熱伝導率よりも高くすることにより、光ファイバーからの熱による劣化をより効果的に軽減することができる。
保持部材は、レーザー光に対する反射率が高い、熱伝導性が高い、いずれかの材料又はこれらの性質を少なくとも１つ備える材料で形成されていることが好ましい。
このような保持部材としては、例えば、銀（Ａｇ）、アルミニウム（Ａｌ）、銅（Ｃｕ）、ニッケル（Ｎｉ）、ジルコニア（ＺｒＯ２）、アルミナ（Ａｌ２Ｏ３）、窒化アルミ（ＡｌＮ）、硫酸バリウム（ＢａＳＯ４）、カーボン、ステンレス鋼、ホウケイ酸ガラス等で構成することができる。なかでも、ジルコニアは反射率が高く、加工が容易であるので好ましく、アルミナは熱伝導率が高いので好ましい。また、反射率を上げるために、被覆部材の端面に金属膜などをつけて鏡面反射させることもでき、例えば、銀（Ａｇ）、アルミニウム（Ａｌ）、銅（Ｃｕ）などの材料を用いることができる。
【００１７】
（封止部材）
封止部材は、保持部材に設けられており、少なくとも光ファイバーの端面を気密封止する。封止部材は透光部材を有しており、レーザー光が透光部を透過し光ファイバーと光学的に接続される。ただし、透光部材はレーザー光が発散しているため有機物の発生は光ファイバーの端面などに比べて少ない。
このような封止部材としてはコバール（Ｋｖ）が好ましい。透光部材としてはホウケイ酸ガラス（ＢＫ７）、ガラス等が好ましい。しかし、これらの材料に限定されるものでは無く、レーザー光や熱によって劣化しないものであれば良い。
封止部材の内部には、炭化水素化合物などの有機物を含有しないガスを封入することが好ましく、例えば、Ｎ２などを封入することができる。また、不活性ガスに１ｐｐｍ以上の濃度の酸素、ハロゲン族ガス、及び／又はハロゲン化合物ガスが混入されているものを封入することもできる。これらにより、有機物の発生を抑制できる。
また、透光部材は反射防止用のＡＲ（Anti Reflection）コートを有することもできる。これにより、レーザー光が透光部材で反射され光源へ戻ることを防ぐことができるため、レーザーモジュールの光出力の低下を抑制できる。また、ＡＲコートは光の透過損失が小さくするため、レーザー光と光ファイバーとの結合効率も大きくなる。
【００１８】
（接着部材）
接着部材は、保持部材の貫通孔内に配置され、光ファイバーと保持部材とを固定している。接着部材としては熱硬化性接着剤が好ましい。
【００１９】
（製造方法）
実施の形態に係るレーザーモジュールの製造方法について、第１の実施の形態に係る発光装置を用いて説明する。
第１の実施の形態に係るレーザーモジュールは、光ファイバー１０と、光ファイバー１０を固定する保持部材１１と、少なくとも光ファイバー１０の端面を封止する封止部材１２と、封止部材の内側に有する光触媒１３と、光ファイバー１０及び保持部材１１を固着する接着部材１６と、を備える。
保持部材１１の貫通孔に光ファイバー１０の一部を挿入し、接着部材１６により光ファイバー１０と保持部材１１とを固着する（第１の工程）。
光ファイバー１０の端面及び保持部材１１の端面を光ファイバーの軸１９に対して斜めに研磨する（第２の工程）。これにより、レーザー光１５が保持部材１１の端面や光ファイバー１０の端面などに反射され光源に戻ることを抑制できる。
第２の工程により、光ファイバー１０に入射されるレーザー光１５はスネルの法則に従い屈折するため、光結合効率が低下するする。ゆえに、前記光ファイバーの軸１９をレーザー光の軸１５に対して傾斜するよう設ける（第３の工程）。これにより、光結合効率が低下することを抑制することができる。
光ファイバー１０の端面及び保持部材１１の端面を封止部材１２によって気密封止する（第４の工程）。封止部材１２は、抵抗溶接などによって保持部材１１の一部と溶接することが好ましいが、これに限定しない。
【実施例】
【００２０】
（実施例１）
実施例１は、第１の実施の形態とほぼ同様の形態を採る。同様な構成を採る部分については説明を省略する部分もある。実施例１について、図１を用いて説明する。実施例１は、光ファイバー１０と保持部材１１（１１ａ及び１１ｂ）と封止部材１２と光触媒１３と透光部材１４と接着部材１６とを備える。
保持部材１１は、光ファイバーの軸１９がレーザー光の軸１８に対して角度３．８°となるよう保持部材１１ｂに保持部材１１ａを圧入する。
光ファイバー１０は保持部材１１の貫通孔に挿入し、接着部材１６によって光ファイバー１０と保持部材１１とを固着する。挿入される光ファイバー１０の端面と保持部材１１ａの端面とは、研磨することにより略同一平面状となり、光ファイバーの軸１９に対して角度８°の傾斜を有する。保持部材１１ｂはＮ２を封入した封止部材１２を有しており、封止部材１２は光ファイバー１０の端面と保持部材１１ａの端面とを気密封止する。封止部材１２は透光部材１４を有し、封止部材１２の外部から射出されるレーザー光１５が透光部材１４を透過して光ファイバー１０と光学的に接続する。このとき、レーザー光１５は、レンズを介することによって光ファイバー１０の端面に集光することができる。ただし、レーザー光１５と光ファイバー１０とは光学的に接続することができればこれに限定されない。また、封止部材１２は内側に光触媒１３を有する。光触媒１３は、光ファイバー１０の傾斜した端面により反射された光の行路上に配置する。
なお、レーザー光の波長は４０５nmとし、保持部材１１ａとしてジルコニア、保持部材１１ｂとしてステンレス鋼、光触媒として酸化チタン、透光部材としてガラス、接着部材には熱硬化性のものを用いる。
以上のようにして作成したレーザーモジュールは、光出力や光結合効率が低下を抑制し、レーザー特性の劣化を防止することが可能である。
【図面の簡単な説明】
【００２１】
【図１】第１の実施の形態に係るレーザーモジュールを示す概略図である。
【図２】第１の実施の形態に係るレーザーモジュールの拡大図である。
【図３】従来のレーザーモジュールを示す概略図である。
【図４】従来のレーザーモジュールを示す概略図である。
【符号の説明】
【００２２】
１０、３０、４０  光ファイバー
１１、１１ａ、１１ｂ、３１、４１  保持部材
１２、３２、４２  封止部材
１３、４３  光触媒
１４、３４  透光部材
１５、３５、４５  レーザー光
１６  接着部材
１７  光ファイバーの端面に対する法線
１８  レーザー光の軸
１９  光ファイバーの軸
２０  反射光
３６、４６  レンズ
３７、４７  ＣＡＮパッケージ
３８  レーザーダイオード
【図１】
2007334015.tif 000003
【図２】
2007334015.tif 000004
【図３】
2007334015.tif 000005
【図４】
2007334015.tif 000006